(57)【要約】【課題】画像形成装置の交換部品に非純正品を使用した場合に、印刷のカスレや文字・記号が消える（転写されない）などの印刷不良を低減し、記録紙、トナーの無駄を抑制するとともに、利用者に印刷品位の改善方法を提供することができる画像形成装置、システム、プリンタドライバ、及び方法を提供する。【解決手段】画像形成装置１００は、画像を形成する画像形成部１０３と、画像形成部１０３の交換部品であるトナーカートリッジ１０８ａが非純正品か否かを判定する非純正品判定部１０１ａを有している。非純正品判定部１０１ａにより画像形成部の交換部品が非純正品と判定された場合に、制御部１０１は、ユーザからのトナー濃度調整値の変更を禁止し、トナー濃度調整値を所定のデフォルト値、例えば、工場出荷時のトナー濃度調整値に設定した上で印刷を行わせる。【選択図】図２
2013101194.tif 000002
【特許請求の範囲】
【請求項１】
画像を形成する画像形成部と、該画像形成部の交換部品が非純正品か否かを判定する非純正品判定部と、前記画像形成部を制御する制御部とを備えた画像形成装置であって、
前記非純正品判定部により前記画像形成部の交換部品が非純正品と判定された場合に、前記制御部は、前記画像形成部におけるトナー濃度調整値を所定のデフォルト値に設定することを特徴とする画像形成装置。
【請求項２】
前記所定のデフォルト値は工場出荷時のトナー濃度調整値であることを特徴とする請求項１に記載の画像形成装置。
【請求項３】
前記非純正品判定部は、画像形成部の交換部品から所定の情報を取得できない場合に、前記交換部品が非純正品であると判定することを特徴とする請求項１または２に記載の画像形成システム。
【請求項４】
前記非純正品判定部により前記画像形成部の交換部品が非純正品と判定された場合に、前記制御部は、ユーザからのトナー濃度調整値の変更を禁止することを特徴とする請求項１から３のいずれか１に記載の画像形成装置。
【請求項５】
プリンタドライバがインストールされた情報処理装置と、該プリンタドライバにより制御される画像形成装置とがネットワークを介して接続された画像形成システムであって、
前記画像形成装置は、画像形成条件に従って画像を形成する画像形成部と、該画像形成部の交換部品が非純正品か否かを判定する非純正品判定部と、該非純正品判定部による判定結果を前記情報処理装置に送信する通信部とを備え、
前記情報処理装置のプリンタドライバは、前記画像形成装置からの判定結果が非純正品であった場合に、前記画像形成条件として、前記画像形成装置における印刷時の画質調整値をデフォルト値に設定することを特徴とする画像形成システム。
【請求項６】
前記プリンタドライバは、前記画像形成装置からの判定結果が非純正品であった場合に、前記画像形成条件として、前記プリンタドライバの印刷条件入力画面から入力可能な画像形成条件のうち、印刷時の画質調整値の設定を禁止することを特徴とする請求項５に記載の画像形成システム。
【請求項７】
前記プリンタドライバは、前記画像形成装置からの判定結果が非純正品であった場合に、前記情報処理装置の表示部に、印刷時の画質調整値の設定を禁止する旨の表示を行うことを特徴とする請求項５または６に記載の画像形成システム。
【請求項８】
前記プリンタドライバは、前記画像形成装置からの判定結果が得られない場合に、前記画像形成条件として、印刷時の画質調整値をデフォルト値に設定することを特徴とする請求項５から７のいずれか１に記載の画像形成システム。
【請求項９】
前記印刷時の画質調整値は、明るさ、コントラスト、彩度、カラーバランスの少なくとも一つの値を含むことを特徴とする請求項５から８のいずれか１に記載の画像形成システム。
【請求項１０】
請求項５から９のいずれか１に記載の画像形成システムにおける情報処理装置にインストールされるプリンタドライバ。
【請求項１１】
画像を形成する画像形成部と、該画像形成部を制御する制御部とを備えた画像形成装置における画像形成方法であって、
前記画像形成部の交換部品が非純正品か否かを判定する非純正品判定ステップと、
該非純正品判定ステップにより前記画像形成部の交換部品が非純正品と判定された場合に、画像形成条件として、画像形成部におけるトナー濃度調整値を所定のデフォルト値に設定するトナー濃度設定ステップと、
前記画像形成条件にしたがって、印刷を行う印刷ステップと、
を備えることを特徴とする画像形成方法。
【請求項１２】
プリンタドライバがインストールされた情報処理装置と、該プリンタドライバにより制御される画像形成装置とがネットワークを介して接続された画像形成システムにおける画像形成方法であって、
前記画像形成装置が、画像形成部の交換部品が非純正品か否かを判定する非純正品判定ステップと、該非純正品判定ステップによる判定結果を前記情報処理装置に送信する通信ステップと、画像形成条件にしたがって印刷を行う印刷ステップを備え、
前記情報処理装置のプリンタドライバが、前記画像形成装置からの判定結果が非純正品であった場合に、前記プリンタドライバの印刷条件入力画面から入力可能な画像形成条件のうち、印刷時の画質調整値の設定を禁止する入力制限ステップと、前記画像形成条件として、前記画像形成装置における印刷時の画質調整値を所定のデフォルト値に設定する画質調整値設定ステップを備えたことを特徴とする画像形成方法。
【発明の詳細な説明】
【技術分野】
【０００１】
本発明は、画像形成装置、システム、プリンタドライバ、及び方法に関し、より詳細には、交換部品が非純正品である場合に、トナー濃度調整値を所定のデフォルト値に設定した印刷を行う画像形成装置、システム、プリンタドライバ、及び方法に関する。
【背景技術】
【０００２】
複合機等の画像形成装置に使用される感光体ドラム、転写ベルト、トナーカートリッジなどの交換部品は印刷品位を保証するために、装置の販売メーカが純正品のサプライ品を供給しているが、販売メーカ以外の第３者によって互換部品としてサプライ品を販売するケースが増加している。 互換部品は安価で供給されているものの印刷品位について全く保証されたものではなく、互換部品の販売者により機器のメンテナンスも行われていないのが現状である。 また、このような複合機は非純正のサプライ品までサポートするように設計されていないので、非純正品を用いた場合には、高温・高湿、低温・低湿などの環境条件により印刷のかすれ、かぶり等が顕著に発生してしまい、印刷品位の低下が問題になっていた。
【０００３】
また、特許文献１には、交換部品が純正品か否かを識別可能な画像形成装置が記載されている。この画像形成装置は、トナーカートリッジに内蔵されているメモリタグからトナーの製造元社名情報を読み出し、読み出した社名情報と、予め記憶している社名情報とを比較し、一致する場合には、装着されているトナーカートリッジは純正品であると判定して表示部に社名情報を表示し、画像濃度補正動作を実行し、一方、一致しない場合には、装着されているトナーカートリッジは非純正品であると判定し、表示部に社名情報を表示せず、かつ、画像濃度補正動作を実行しない旨を表示する。
【０００４】
また、特許文献２には、純正の消耗品の使用を前提とする第１モードと非純正の消耗品の使用を許可する第２モードとが選択可能な画像形成装置が記載されている。この画像形成装置は、装着されている消耗品が純正か非純正かを判定する消耗品判定手段と、印刷指示を受け付ける印刷ジョブ受付手段と、第１モードが選択された場合において、印刷ジョブ受付手段で印刷指示された色を再現するために使用する消耗品が、消耗品判定手段により非純正と判定された消耗品を含む場合は、非純正と判定された消耗品を使用することなく、純正と判定された消耗品のみを使用して画像を形成するように構成されている。
【先行技術文献】
【特許文献】
【０００５】
【特許文献１】特開２０１０−２６６５８８号公報
【特許文献２】特開２００９−３００６９４号公報
【発明の概要】
【発明が解決しようとする課題】
【０００６】
通常、上記のサプライ品は管理者によって交換や補充が行なわれるために、一般ユーザは良好な印刷が行われるものとして印刷を行っているのが現状である。このような場合には、印刷装置とサプライ品との組み合わせ評価が十分に行なわれていないため、少量の印刷でも印刷「かすれ」や「かぶり」が発生する場合や、大量の印刷の一部のページで印刷「かすれ」や「かぶり」が発生など安定的な印刷が行えない問題を抱えていた。
【０００７】
また、記録紙に良好なトナー転写が行なえた場合であっても、トナーと定着設定温度との関係により、温度設定が低いことによるトナー剥離や、温度設定が高いことによる「かぶり」が発生する問題を抱えているため、重要な書類を印刷した際には、転写、定着不良の有無を確認する必要があった。
【０００８】
これに対して、上述の特許文献１、２に記載された技術では、挿入されたカートリッジや消耗品の純正品、非純正品を判別し、非純正品であればユーザに画質改善機能を動作（濃度補正）させない旨を報知したり、非純正品の特性にあった画質調整を行なう内容が示されているが、サービスマン等により調整された印字濃度調整値を初期化したり、再調整するものではない。
【０００９】
そして、非純正品を使用すれば、温度、湿度、紙質などの環境変化によって少量の印刷でも印刷「かすれ」や「かぶり」が発生する場合や、大量の印刷の一部のページで印刷「かすれ」や「かぶり」が発生など安定的な印刷が行えない場合や、良好に記録紙にトナーの転写が行なわれた場合があるため、確実にトナーの転写が行なえる保証が無く、印刷物を保存用資料として用いたり、外部に印刷物を送付したりする場合などは、全ての記録紙に対して、転写不良や定着不良がないかどうかを確認する必要があった。
【００１０】
また、ユーザがコピー濃度の調整やイメージ調整などの画質調整に必要なトナー濃度の調整を行った場合でも、非純正品を使用している場合には、ユーザが所望する画質調整を行える保証がなかった。一方、トナー濃度調整値の工場出荷時の値は、通常、平均的な温度、湿度、紙質などの使用環境を想定して、印刷不良が生じにくい値に設定されている。
【００１１】
本発明は、これらの実情に鑑みてなされたものであり、画像形成装置内部に装置メーカが供給する純正品以外の非純正品が使用されていることを検知した際には、画像形成部におけるトナー濃度調整値を所定のデフォルト値に設定することにより、印刷のカスレや文字・記号が消える（転写されない）などの印刷不良を低減し、記録紙、トナーの無駄を抑制するとともに、利用者に印刷品位の改善方法を提供することができる画像形成装置、システム、プリンタドライバ、及び方法を提供することを目的とする。
【課題を解決するための手段】
【００１２】
上記課題を解決するために、本発明の第１の技術手段は、画像を形成する画像形成部と、該画像形成部の交換部品が非純正品か否かを判定する非純正品判定部と、前記画像形成部を制御する制御部とを備えた画像形成装置であって、前記非純正品判定部により前記画像形成部の交換部品が非純正品と判定された場合に、前記制御部は、前記画像形成部におけるトナー濃度調整値を所定のデフォルト値に設定することを特徴としたものである。
【００１３】
第２の技術手段は、第１の技術手段において、前記所定のデフォルト値は工場出荷時のトナー濃度調整値であることを特徴としたものである。
【００１４】
第３の技術手段は、第１または２の技術手段において、前記非純正品判定部は、画像形成部の交換部品から所定の情報を取得できない場合に、前記交換部品が非純正品であると判定することを特徴としたものである。
【００１５】
第４の技術手段は、第１から３のいずれか１の技術手段において、前記非純正品判定部により前記画像形成部の交換部品が非純正品と判定された場合に、前記制御部は、ユーザからのトナー濃度調整値の変更を禁止することを特徴としたものである。
【００１６】
第５の技術手段は、プリンタドライバがインストールされた情報処理装置と、該プリンタドライバにより制御される画像形成装置とがネットワークを介して接続された画像形成システムであって、前記画像形成装置は、画像形成条件に従って画像を形成する画像形成部と、該画像形成部の交換部品が非純正品か否かを判定する非純正品判定部と、該非純正品判定部による判定結果を前記情報処理装置に送信する通信部とを備え、前記情報処理装置のプリンタドライバは、前記画像形成装置からの判定結果が非純正品であった場合に、前記画像形成条件として、前記画像形成装置における印刷時の画質調整値をデフォルト値に設定することを特徴としたものである。
【００１７】
第６の技術手段は、第５の技術手段において、前記プリンタドライバは、前記画像形成装置からの判定結果が非純正品であった場合に、前記画像形成条件として、前記プリンタドライバの印刷条件入力画面から入力可能な画像形成条件のうち、印刷時の画質調整値の設定を禁止することを特徴としたものである。
【００１８】
第７の技術手段は、第５または６の技術手段において、前記プリンタドライバは、前記画像形成装置からの判定結果が非純正品であった場合に、前記情報処理装置の表示部に、印刷時の画質調整値の設定を禁止する旨の表示を行うことを特徴としたものである。
【００１９】
第８の技術手段は、第５から７のいずれか１の技術手段において、前記プリンタドライバは、前記画像形成装置からの判定結果が得られない場合に、前記画像形成条件として、印刷時の画質調整値をデフォルト値に設定することを特徴としたものである。
【００２０】
第９の技術手段は、第５から８のいずれか１の技術手段において、前記印刷時の画質調整値は、明るさ、コントラスト、彩度、カラーバランスの少なくとも一つの値を含むことを特徴としたものである。
【００２１】
第１０の技術手段は、第５から９のいずれか１の技術手段である画像形成システムにおける情報処理装置にインストールされるプリンタドライバである。
【００２２】
第１１の技術手段は、画像を形成する画像形成部と、該画像形成部を制御する制御部とを備えた画像形成装置における画像形成方法であって、前記画像形成部の交換部品が非純正品か否かを判定する非純正品判定ステップと、該非純正品判定ステップにより前記画像形成部の交換部品が非純正品と判定された場合に、画像形成条件として、画像形成部におけるトナー濃度調整値を所定のデフォルト値に設定するトナー濃度設定ステップと、前記画像形成条件にしたがって、印刷を行う印刷ステップと、を備えることを特徴としたものである。
【００２３】
第１２の技術手段は、プリンタドライバがインストールされた情報処理装置と、該プリンタドライバにより制御される画像形成装置とがネットワークを介して接続された画像形成システムにおける画像形成方法であって、前記画像形成装置が、画像形成部の交換部品が非純正品か否かを判定する非純正品判定ステップと、該非純正品判定ステップによる判定結果を前記情報処理装置に送信する通信ステップと、画像形成条件にしたがって印刷を行う印刷ステップを備え、前記情報処理装置のプリンタドライバが、前記画像形成装置からの判定結果が非純正品であった場合に、前記プリンタドライバの印刷条件入力画面から入力可能な画像形成条件のうち、印刷時の画質調整値の設定を禁止する入力制限ステップと、前記画像形成条件として、前記画像形成装置における印刷時の画質調整値を所定のデフォルト値に設定する画質調整値設定ステップを備えたことを特徴としたものである。
【発明の効果】
【００２４】
本発明によれば、画像形成装置内部に非純正品が使用されていることを検知すると、ユーザの設定したトナー濃度調整値に関係なく、印刷時のトナー濃度設定値を所定のデフォルト値、例えば、工場出荷時のトナー濃度調整値に設定することにより、印刷のカスレや文字・記号が消えるなどの印刷不良を低減し、記録紙、トナーの無駄を抑制するとともに、ユーザからのトナー濃度調整値の変更を禁止し、ユーザにトナー濃度調整値を工場出荷時の値に戻す理由を報知することにより、重要書類に対するドキュメントの印刷不良を抑制することができる。また、非純正品の使用を検知した場合でも画像形成装置の動作を停止させないので、純正品サプライの購入を促し、純正品サプライを購入するまでは、ユーザは文書の下書き印刷として非純正サプライを使用することができ、ユーザの利便性を損なうおそれも小さい。
【図面の簡単な説明】
【００２５】
【図１】本発明による画像形成装置を複合機として構成した実施形態を示す図である。
【図２】本発明による画像形成装置及び情報処理装置の要部構成例を示すブロック図である。
【図３】交換部品であるトナーカートリッジの一例を示す図である。
【図４】本発明の画像形成装置による画像形成方法の一例を説明するためのフロー図である。
【図５】画像形成装置が備える操作パネルの外観の一例を示す図である。
【図６】コピーモード時の初期画面の一例を示す図である。
【図７】本発明の画像形成システムにおける情報処理装置の動作の一例を説明するためのフロー図である。
【図８】トナーカートリッジが純正品の場合の、プリンタドライバによる印刷条件入力画面の一例を示す図である。
【図９】トナーカートリッジが非純正品の場合の、プリンタドライバによる印刷条件入力画面の一例を示す図である。
【発明を実施するための形態】
【００２６】
以下、添付図面を参照しながら、本発明の画像形成装置、方法、システム、及びプリンタドライバの好適な実施の形態について説明する。
【００２７】
図１は、本発明による画像形成装置を複合機として構成した実施形態を示す図で、スキャナ機能を備えた複合機として構成された画像形成装置の一例を示すものである。
画像形成装置１００は、外部から伝送され、もしくはスキャナ（画像読み取り手段）で読み取った画像データを記録紙に画像形成するもので、装置本体１３０と、自動原稿処理装置１２０とにより構成されている。
【００２８】
装置本体１３０は、露光ユニット１、現像器２、感光体ドラム３、クリーナユニット４、帯電器５、中間転写ベルトユニット６、定着ユニット７、給紙カセット８１、排紙トレイ９１等を有する。
装置本体１３０の上部には、透明ガラスからなる原稿載置台９２が設けられ、その上側には原稿載置台９２に原稿を自動搬送する自動原稿処理装置１２０が取り付けられる。自動原稿処理装置１２０は矢印Ｍ方向に回動自在に構成され、原稿載置台９２の上を開放することにより原稿を手置きで置くことができるようになっている。
【００２９】
装置本体１３０は、筐体内に収容される画像読取手段９０を有している。画像読取手段９０は、光源及び第１ミラーを保持する光源ユニット９３と、第２及び第３ミラーを保持するミラーユニット９４と、レンズ及びＣＣＤ９５とから構成された縮小光学系の画像読取手段である。また、装置本体１３０には、図示しない操作パネルが設けられ、ユーザによる操作入力が可能となっている。また装置本体１３０には、外部接続された装置から画像データを入力する手段、あるいは可搬型の記録媒体から画像データを読み取る手段（いずれも図示せず）を備えている。
【００３０】
画像形成装置１００において扱われる画像データは、例えばブラック（Ｋ）、シアン（Ｃ）、マゼンタ（Ｍ）、イエロー（Ｙ）の４色のカラー画像に応じたものである。従って、現像器２、感光体ドラム（像担持体）３、帯電器５、クリーナユニット４は、各色に応じた４種類の潜像を形成するようにそれぞれ４個ずつ設けられ、これらにより４つの画像ステーションが構成されている。
【００３１】
帯電器５は、感光体ドラム３の表面を所定の電位に均一に帯電させるための帯電手段であり、図１に示すようなチャージャ型の他、接触型のローラ型やブラシ型の帯電器が用いられることもある。
露光ユニット１には、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。また、露光ユニット１としては、この他にも発光素子をアレイ状に並べた例えばＥＬやＬＥＤ書込みヘッドを用いる手法も採用できる。
【００３２】
露光ユニット１は、帯電された感光体ドラム３を入力された画像データに応じて露光することにより、その表面に、画像データに応じた静電潜像を形成する機能を有する。現像器２は、それぞれの感光体ドラム３上に形成された静電潜像を４色（Ｙ，Ｍ，Ｃ，Ｋ）のトナーにより顕像化するものである。また、クリーナユニット４は、現像・画像転写後における感光体ドラム３上の表面に残留したトナーを、除去・回収する。後述するように、本発明では画像形成装置に非純正品が用いられている場合に、感光体ドラム３上に形成された静電潜像を４色（Ｙ，Ｍ，Ｃ，Ｋ）のトナーにより顕像化する際のトナー濃度調整値が、所定のデフォルト値、例えば、工場出荷時のトナー濃度調整値に強制的に設定されるようになっている。
【００３３】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、Ｙ，Ｍ，Ｃ，Ｋの各色に対応して４本設けられている。
中間転写ベルト駆動ローラ６２、中間転写ベルト従動ローラ６３、及び中間転写ローラ６４は、中間転写ベルト６１を張架して回転駆動させる。また、各中間転写ローラ６４は、感光体ドラム３のトナー像を中間転写ベルト６１上に転写するための転写バイアスを与える。
【００３４】
中間転写ベルト６１は、各感光体ドラム３に接触するように設けられている。そして、感光体ドラム３に形成された各色のトナー像を中間転写ベルト６１に順次的に重ねて転写することによって、中間転写ベルト６１上にカラーのトナー像（多色トナー像）を形成する。中間転写ベルト６１は、例えば厚さ１００μｍ〜１５０μｍ程度のフィルムを用いて無端状に形成されている。
【００３５】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本構成例では転写電極としてローラ形状を使用しているが、それ以外にブラシなども用いることが可能である。
【００３６】
上述のように各感光体ドラム３上で各色相に応じて顕像化された静電像は、中間転写ベルト６１で積層される。このように積層された静電像は、中間転写ベルト６１の回転によって、後述の用紙と中間転写ベルト６１の接触位置に配置される二次転写機構部である転写ローラ１０によって記録紙に転写される。二次転写機構部としては、転写ローラに限らず、コロナチャージャや転写ベルトを用いることも可能である。
【００３７】
このとき、中間転写ベルト６１と転写ローラ１０は所定ニップで圧接されるとともに、転写ローラ１０にはトナーを用紙に転写させるための電圧が印加される（トナーの帯電極性（−）とは逆極性（＋）の高電圧）。さらに、転写ローラ１０は、上記ニップを定常的に得るために、転写ローラ１０若しくは中間転写ベルト駆動ローラ６２の何れか一方を硬質材料（金属等）とし、他方を弾性ローラ等の軟質材料（弾性ゴムローラ、または発泡性樹脂ローラ等々）としている。
【００３８】
また、上記のように、感光体ドラム３に接触することにより中間転写ベルト６１に付着したトナー、若しくは転写ローラ１０によって記録紙に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３９】
給紙カセット８１は、画像形成に使用する記録紙（シート）を蓄積しておくためのトレイであり、装置本体１３０の露光ユニット１の下側に設けられている。また、手差し給紙カセット８２にも画像形成に使用する記録紙を置くことができる。装置本体１１０の上方に設けられている排紙トレイ９１は、印刷済みの記録紙をフェイスダウンで集積するためのトレイである。
【００４０】
また、装置本体１１０には、給紙カセット８１及び手差し給紙カセット８２の記録紙を転写ローラ１０や定着ユニット７を経由させて排紙トレイ９１に送るための、略垂直形状の用紙搬送路Ｓ１が設けられている。給紙カセット８１ないし手差し給紙カセット８２から排紙トレイ９１までの用紙搬送路Ｓ１の近傍には、ピックアップローラ１１ａ，１１ｂ、複数の搬送ローラ１２ａ〜１２ｄ，レジストローラ１３、転写ローラ１０、定着ユニット７等が配されている。
【００４１】
搬送ローラ１２ａ〜１２ｄは、記録紙の搬送を促進・補助するための小型のローラであり、用紙搬送路Ｓ１に沿って複数設けられている。また、ピックアップローラ１１ａは、給紙カセット８１の端部近傍に備えられ、給紙カセット８１から記録紙を１枚ずつピックアップして用紙搬送路Ｓ１に供給する。同様に、ピックアップローラ１１ｂは、手差し給紙カセット８２の端部近傍に備えられ、手差し給紙カセット８２から記録紙を１枚ずつピックアップして用紙搬送路Ｓ１に供給する。
【００４２】
また、レジストローラ１３は、用紙搬送路Ｓ１を搬送されている記録紙を一旦保持するものである。そして、感光体ドラム３上のトナー像の先端と記録紙の先端を合わせるタイミングで記録紙を転写ローラ１０に搬送する機能を有している。
【００４３】
定着ユニット７は、ヒートローラ７１及び加圧ローラ７２を備えている。ヒートローラ７１及び加圧ローラ７２は、記録紙を挟んで回転するようになっている。またヒートローラ７１は、図示しない温度検出器からの信号に基づいて制御手段によって所定の定着温度となるように設定されており、加圧ローラ７２とともにトナーを記録紙に熱圧着することにより、記録紙に転写された多色トナー像を溶融・混合・圧接し、記録紙に対して熱定着させる機能を有している。また、ヒートローラ７１を外部から加熱するための外部加熱ベルト７３が設けられている。
【００４４】
次に、記録紙の搬送経路をより具体的に説明する。上述のように、画像形成装置１００には、予め記録紙を収納する給紙カセット８１、及び手差し給紙カセット８２が設けられている。これら給紙カセット８１，８２から記録紙を給紙するために、各々ピックアップローラ１１ａ，１１ｂが配置され、記録紙を１枚ずつ用紙搬送路Ｓ１に導くようになっている。
【００４５】
各給紙カセット８１，８２から搬送される記録紙は、用紙搬送路Ｓ１の搬送ローラ１２ａによってレジストローラ１３まで搬送され、記録紙の先端と中間転写ベルト６１上の画像情報の先端を整合するタイミングで転写ローラ１０に搬送され、記録紙上に画像情報が書き込まれる。その後、記録紙は定着ユニット７を通過することによって記録紙上の未定着トナーが熱で溶融・固着され、その後に配された搬送ローラ１２ｂを経て排紙トレイ９１上に排出される。
【００４６】
上記の搬送経路は、記録紙に対する片面印字要求の場合のものであるが、これに対して両面印字要求の場合は、上記のように片面印字が終了し定着ユニット７を通過した記録紙の後端が最終の搬送ローラ１２ｂで把持されたときに、搬送ローラ１２ｂが逆回転することによって記録紙を搬送ローラ１２ｃ，１２ｄが配された搬送路Ｓ２に導く。そして、搬送路Ｓ２は搬送路Ｓ１に合流して、記録紙はレジストローラ１３から転写ローラ１０に搬送される。このとき、搬送路Ｓ２からＳ１に合流する段階で記録紙の表裏が反転されているため、転写ローラ１０では記録紙の裏面に印刷が行わる。そして裏面に印刷された記録紙は定着ユニット７で定着され、排紙トレイ９１に排出される。
【００４７】
図２は、本発明による画像形成装置及び情報処理装置の要部構成例を示すブロック図である。画像形成装置１００は、例えば、上述の複合機として構成され、画像形成装置１００の各機能を制御し内部にＣＰＵ，ＲＯＭ，ＲＡＭ等を有するマイクロコンピュータによって実現される制御部１０１と、操作部１０２ａ及び表示部１０２ｂからなる操作パネル１０２と、制御部１０１の制御に従って記録紙上に画像データの画像形成を行う画像形成部１０３と、ネットワークＮを介して情報処理装置２００と接続するための通信部１０４と、ハードディスクなどの記憶部１０５と、トナーカートリッジ１０８に付与されたＩＣチップからＩＤ情報を読み取る読取部１０６と、各種センサ及びセンサからの信号を加工する周辺回路からなるセンサ回路１０７と、交換部品の一例であるトナーカートリッジ１０８と、トナー濃度設定部１０９ａを有する画像処理部１０９とを備えて構成される。
【００４８】
操作パネル１０２は、操作部１０２ａ及び表示部１０２ｂで構成され、操作部１０２ａは、ユーザによる操作入力を受け付けて制御部１０１に出力する。また、表示部１０２ｂは、操作用の画面や各種情報を表示させる。表示部１０２ｂは、操作画面に対して入力操作が可能なタッチパネルで構成されていてもよく、この場合、表示部１０２ｂは操作部１０２ａと同様にユーザによる操作入力を受け付けることができる。
【００４９】
本発明の主たる目的は、交換部品に非純正品を使用した場合に、トナー濃度調整値を所定のデフォルト値、例えば、工場出荷時のトナー濃度調整値に設定した印刷を行うとともに、ユーザに所望のトナー濃度（印刷濃度）での印刷が行えないことを報知することにある。このための構成として、画像形成装置１００は、画像形成部１０３の交換部品が非純正品か否かを判定する非純正品判定部１０１ａと、画像形成条件入力部から入力された画像形成条件に従って画像形成部１０３を制御する制御部１０１とを備える。
【００５０】
画像処理部１０９は、スキャナ（画像読み取り手段）で読み取った画像データや、情報処理装置２００などの外部から伝送された印刷データに対して画像変更処理を施す機能を有している。画像変更処理としては、倍率指定変倍設定、用紙指定変倍設定、綴じ代設定、ｎ in １と呼ばれる集約設定などが挙げられる。また、画像処理部１０９は、これらの画像変更処理の一機能として、コピー濃度の調整やイメージ調整などの画質調整に必要なトナー濃度調整を行うためのトナー濃度設定部１０９ａを備えている。
【００５１】
そして、非純正品判定部１０１ａにより画像形成部１０３の交換部品が非純正品と判定された場合、制御部１０１は、印刷対象となっている画像データのトナー濃度調整値が所定のデフォルト値、例えば、工場出荷時のトナー濃度調整値となるように、画像処理部１０９のトナー濃度設定部１０９ａで設定し、このトナー濃度調整値による画像データの印刷を画像形成部１０３に行わせる。なお、非純正品判定部１０１ａは、制御部１０１の一機能として実現される。
【００５２】
また、上記において、交換部品とは、機能から見れば装置の一部を構成し、交換により性能が回復・保持できるものをいう。例えば、画像形成装置１００の場合、トナーカートリッジ（あるいは現像カートリッジ）、感光体カートリッジ、現像部材と感光体が一体的に形成されたカートリッジ、インクカートリッジ、インクタンクと印字ヘッドが一体的に形成されたカートリッジ、熱転写方式用のインクシートカートリッジ等が相当する。そして、これらの交換部品をサプライ品と呼ぶ場合がある。本実施形態の説明では、交換部品としてトナーカートリッジ１０８を例示して説明するが、これに限定されるものではない。
【００５３】
図２において、非純正品判定部１０１ａは、画像形成装置１００に装着されたトナーカートリッジ１０８が純正品か、非純正品かの判定を行う。非純正品の判定方法としては、前述の特許文献１，２に記載の技術をはじめ、例えば、特開２００２−２０２６９７号公報、特開２００９−１４５３９６号公報など従来公知の技術を用いて実現することができ、その方法について特に限定されるものではない。以下、非純正品判定部１０１ａによる非純正品の判定方法として、画像形成装置１００内で判定を行う場合を例示して説明するが、外部のサーバ装置等を利用して判定を行うようにしてもよい。
【００５４】
トナーカートリッジ１０８には、トナーカートリッジ１０８を個別に特定し得る固有のＩＤ情報が記録されている。例えば、図３に示すように、ＩＣチップ１０８ａとして搭載し、その中のＥＥＰＲＯＭ、強誘電体メモリ等の不揮発性メモリにＩＤ情報を予め記録しておく。あるいは、このＩＤ情報をバーコードなどの簡易な方法により構成してもよい。ＩＤ情報としては、少なくとも純正品を提供する製造メーカであることが分かればよいため、製造メーカの識別番号などであってもよい。そして、読取部１０６の構成は、トナーカートリッジ１０８に付与されたＩＤ情報の形態によって異なる。例えば、ＩＤ情報がバーコードの場合には読取部１０６はバーコードリーダであり、また、ＩＤ情報がＩＣチップの場合には読取部１０６は電気的あるいは高周波による読み取り手段で構成される。
手段で構成される。
【００５５】
また、記憶部１０５には、トナーカートリッジの純正品のＩＤ情報が予め格納されており、トナーカートリッジ１０８の交換装着が確認されると、非純正品判定部１０１ａは、読取部１０６で読み取られたトナーカートリッジ１０８のＩＤ情報と、記憶部１０５に格納されている純正品のＩＤ情報とを比較し、両者が一致するか否かを判定する。なお、画像形成装置１００の製造メーカは、その製造段階において、純正品のトナーカートリッジのＩＤ情報を全て記憶部１０５に格納しておくとよい。ＩＤ情報が一致した場合には、純正品と判定され、ＩＤ情報が一致しない場合には、非純正品と判定される。なお、非純正品の中には、ＩＤ情報が付与されていない場合も考えられるため、読取部１０６で読み取り不能であった場合も非純正品と判定するようにする。
【００５６】
上記において、トナーカートリッジ１０８の交換装着は、センサ回路１０７により検知することができる。センサ回路１０７は、前述したように、各種センサ及びセンサからの信号を加工する周辺回路からなる。センサとしては、機械式あるいは光学式の扉センサ、カートリッジセンサで構成される。扉センサは、画像形成装置１００の扉の開閉状態を検出するセンサであり、また、カートリッジセンサは、トナーカートリッジ１０８が画像形成装置１００に装着されているか否かを検出するためのセンサである。周辺回路としては、センサ出力の波形整形を行う波形整形回路、フィルタ回路、２値化回路、電圧レベル調整回路等が含まれ、センサ出力を、例えば、０−５Ｖの論理レベルを有するデジタル信号に変換する。
【００５７】
制御部１０１は、センサ回路１０７でトナーカートリッジ１０８の交換があったことを検知した場合には、ＩＣチップ１０８ａにアクセスし、ＩＤ情報を読み取るように、読取部１０６に指示する。そして、非純正品判定部１０１ａは、読取部１０６で読み取られたＩＤ情報と、記憶部１０５に記憶されているＩＤ情報とを比較することで、交換されたトナーカートリッジ１０８が純正品か、非純正品かの判定を行う。このようにして、非純正品判定部１０１ａによりＩＤ情報の一致・不一致を判定することができる。読取部１０６で読み取り不能な場合にも、不一致、つまり、非純正品と判定されるものとする。
【００５８】
そして、制御部１０１は、非純正品判定部１０１ａにより画像形成部１０３の交換部品が非純正品と判定された場合、上述したように、トナー濃度調整値が所定のデフォルト値、例えば、工場出荷時のトナー濃度調整値となるように設定した上で前記画像形成部に印刷を行わせるようにしている。なお、例として、交換部品がトナーカートリッジ１０８である場合を挙げたが、画像形成装置１００が複数の部品が交換可能な構成の場合、各交換部品について上述のような非純正品か否かの判定を行い、少なくとも１つの交換部品が非純正品であると判定された場合に、工場出荷時のトナー濃度調整値での印刷をおこなうようにしてもよい。
【００５９】
次に、情報処理装置２００は、例えば、汎用的なＰＣ（パーソナルコンピュータ）であり、ネットワークＮを介して画像形成装置１００と接続するための通信部２０１と、情報処理装置２００の各機能を制御するためのＣＰＵ，ＲＡＭ，ＲＯＭ等からなる演算処理部２０２と、プリンタドライバ２０３ａがインストールされたハードディスクなどの記憶部２０３と、キーボードやマウスなどの入力部２０４と、液晶ディスプレイ等の表示部２０５とを備えて構成される。
【００６０】
プリンタドライバ２０３ａは、画像形成装置１００を制御して、画像形成処理（印刷処理）を実行させるためのソフトウェア（プログラム）である。このプリンタドライバ２０３ａは、印刷実行時に、演算処理部２０２によって記憶部２０３から読み出され、演算処理部２０２のＲＡＭ上で展開され実行される。そして、プリンタドライバ２０３ａは表示部２０５に印刷条件入力画面（印刷条件設定画面ともいう。）を表示部２０５に表示することによって、種々の画像形成条件をユーザに提示するとともに、ユーザによる入力部２０４からの入力操作に応じて、画像形成条件を設定する。この画像形成条件は、印刷データとともに、通信部２０１を介して画像形成装置１００へ送られ、画像形成装置１００では、画像形成条件に従って印刷データを画像処理部１０９で処理し、処理した印刷データを画像形成部１０３で記録紙に印刷する。
【００６１】
以下、本発明の画像形成システムにおける画像形成装置の動作について、コピーモードを例に説明する。
図４は、本発明の画像形成システムにおける画像形成装置の動作の一例を説明するためのフロー図である。また、図５は、画像形成装置が備える操作パネルの外観の一例を示す図であり、図６は、コピーモード時の初期画面の一例を示す図である。本例では図２の画像形成装置１００の構成に基づき、センサ回路１０７がトナーカートリッジ１０８の装着を検出した際に、ＩＤ情報読み出し命令を発生させる場合について説明する。
【００６２】
まず、制御部１０１は、トナーカートリッジ１０８の装着に伴い、センサ回路１０７からのＩＤ情報読み出し命令が発生したか否かを判定し（ステップＳ１１）、ＩＤ情報読み出し命令が発生したと判定した場合（ＹＥＳの場合）、読取部１０６に対して、トナーカートリッジ１０８のＩＤ情報の読み出しを指示する（ステップＳ１２）。また、ステップＳ１１において、ＩＤ情報読み出し命令が発生していないと判定した場合（ＮＯの場合）、ステップＳ１１で待機状態に移行する。
【００６３】
次に、制御部１０１の非純正品判定部１０１ａは、読取部１０６により読み出したＩＤ情報と、記憶部１０５に記憶されているＩＤ情報（登録済みＩＤ情報）とを比較する（ステップＳ１３）。そして、両者が一致するか否かを判定し（ステップＳ１４）、一致する場合（ＹＥＳの場合）、トナーカートリッジ１０８は純正品と判定され、純正品判定情報として純正品であることを記憶部１０５に記憶する（ステップＳ１５）。また、一致しない場合は、トナーカートリッジ１０８は非純正品と判定され、純正品判定情報として非純正品であることを記憶部１０５に記憶する（ステップＳ１９）。ここで、ステップＳ１４が本発明の非純正品判定ステップに相当する。
【００６４】
そして、ステップＳ１５において、純正品判定情報として純正品であることを記憶した後は、ステップＳ１６に移り、通常の初期画面が表示される。ここで、通常の初期画面とは、例えば、コピーモード時においては、図６（Ａ）に示すような初期画面３００であり、「コピー読み込みができます。」というメッセージ３０１が表示されるとともに、コピー時の各種コピー条件の設定をユーザから受け付けるための画面である。この初期画面３００が操作パネル１０２の表示部１０２ｂに表示され、この通常の初期画面３００では、ユーザがコピー濃度の調整を行うために選択可能なコピー濃度の表示３０２が表示される。
【００６５】
操作パネル１０２は、図５に示すように、操作部１０２ａ及び表示部１０２ｂで構成され、表示部１０２ｂはタッチパネルになっている。そして、表示部１０２ｂはこのタッチパネルを介してユーザのタッチ操作による入力を受け付けることができ、例えば、コピーを行う場合、ユーザは操作部１０２ａのコピーモード選択ボタン１０２ｄを押下することにより、通常、コピーモード時の初期画面３００が表示部１０２ｂに表示される。
【００６６】
また、図４には図示していないが、ステップＳ１６では、各種コピー条件の設定をユーザから受け付けて画像形成条件の設定を行うとともに、デフォルトまたはユーザが指定したコピー濃度での印刷が行われるように画像処理部１０９のトナー濃度設定部１０９ａでトナー濃度の設定を行う。ステップＳ１６の後は、ステップＳ１７に移り、図５で示す操作パネルの印刷ボタン１０２ｃが押されたか否かが判別される。ステップＳ１７で印刷ボタン(スタートボタン)１０２ｃが押下された場合は、ステップＳ１８に移り、画像読取手段９０で読み取られた原稿の画像データに基づいて、デフォルトまたは指定されたコピー濃度で記録紙に画像形成がなされる。ステップＳ１７で印刷ボタンが押下されない場合は、押下されるまで待機する。
【００６７】
次に、ステップＳ１９において、純正品判定情報として非純正品であることを記憶した後は、ステップＳ２０に移り、コピー濃度の調整ができない旨のメッセージを付加した初期画面が表示される。コピー濃度の調整ができない旨のメッセージを付加した初期画面とは、例えば、図６（Ｂ）に示すようなコピーモード時の初期画面３１０であり、「非純正品トナーのためコピー濃度の調整はできません。」というメッセージ３１１が表示されるとともに、コピー時の各種コピー条件の設定をユーザから受け付けるための画面である。この初期画面３１０では、ユーザがコピー濃度の調整を行うために選択可能であったコピー濃度の表示３０２はグレーアウト表示され、ユーザがコピー濃度の調整をできないようになっている。
【００６８】
また、図４には図示していないが、ステップＳ２０では、各種コピー条件の設定をユーザから受け付けて画像形成条件の設定を行うとともに、トナー濃度調整値については所定のデフォルト値、例えば、工場出荷時のトナー濃度調整値となるように設定した上で印刷が行われるように、画像処理部１０９のトナー濃度設定部１０９ａでトナー濃度の設定を行う。このステップが、本願発明のトナー濃度設定ステップに相当する。
【００６９】
ステップＳ２０の後は、ステップＳ２１に移り、図５で示す操作パネルの印刷ボタン１０２ｃが押されたか否かが判別される。ステップＳ２１で印刷ボタン１０２ｃが押下された場合は、ステップＳ２２に移り、画像読取手段９０で読み取られた原稿の画像データに基づいて、トナー濃度調整値については所定のデフォルト値、例えば、工場出荷時のトナー濃度調整値となるように設定された上で記録紙に画像形成がなされる。ステップＳ２１で印刷ボタンが押下されない場合は、押下されるまで待機する。ここで、ステップＳ１８、ステップＳ２２が本発明の印刷ステップに相当ステップする。また、ステップＳ１７、ステップＳ２１での待機状態中に、ステップＳ１１で説明したＩＤ読み出し命令が発生した場合は、ステップＳ１１へ移り、以降の処理を繰り返す。
【００７０】
次に、画像形成装置１００及び情報処理装置２００からなる画像形成システムによる印刷処理例について説明する。
画像形成装置の動作フローは、図４で示した動作フローのステップＳ１５またはステップＳ１９までは、画像形成システムによる印刷処理においても同じであり、純正品判定情報が画像形成装置１００の記憶部１０５に記憶されていることを前提に説明する。
【００７１】
図７は、本発明の画像形成システムにおける情報処理装置の動作の一例を説明するためのフロー図であり、図８、図９は、それぞれプリンタドライバによる印刷条件入力画面の一例を示す図である。
まず、演算処理部２０２は、ユーザの操作によって、プリンタドライバ２０３ａが起動されたか否かを判定し（ステップＳ３１）、プリンタドライバ２０３ａが起動された場合（ＹＥＳの場合）は、画像形成装置１００に対して、純正品判定情報の送信を要求する（ステップＳ３２）。また、ステップＳ３１において、プリンタドライバ２０３ａが起動されていないと判定した場合（ＮＯの場合）、ステップＳ３１で待機状態に移行する。
【００７２】
ステップＳ３２の後、画像形成装置１００から純正品判定情報を取得し（ステップＳ３３）、ステップＳ３４へ移る。ステップＳ３４では、純正品判定情報に基づいて、画像処理装置１００に非純正品が使用されているかどうかを判別する。そして、非純正品が使用されていない、すなわち、純正品が使用されていると判別された場合は、ステップＳ３５に移り、トナー濃度調整の制限をかけることのない、通常の画像形成条件の印刷条件入力画面を表示部２０５に表示する。ここで、通常の画像形成条件の印刷条件入力画面は、従来の各種印刷条件設定用のプリンタドライバの入力画面であり、この入力画面から、例えば、図８に示すような印刷条件入力画面としてイメージ調整画面３２０を選択することが可能となっている。イメージ調整画面３２０では、ユーザは明るさ３２１、コントラスト３２２、彩度３２３、カラーバランス３２４などの画質調整、すなわち、トナー濃度に関する調整値を所望の値に調整・設定することができるようになっている。
【００７３】
次に、ステップＳ３４で非純正品が使用されていると判別された場合は、ステップＳ３６に移り、イメージ調整を禁止した画像形成条件の印刷条件入力画面を表示部２０５に表示する。ここで、イメージ調整を禁止した画像形成条件の印刷条件入力画面とは、例えば、ユーザがトナー濃度の調整を行おうとした際に、画面選択によって選択される一連の印刷条件入力画面であり、図９に示すような印刷条件入力画面としてイメージ調整画面３３０を含んでいる。このイメージ調整画面３３０では、通常の画像形成条件のイメージ調整画面３２０ではユーザにより設定可能であった、明るさ３２１、コントラスト３２２、彩度３２３、カラーバランス３２４などのトナー濃度に関する調整を禁止したものであり、該当する設定項目を非表示、または、グレーアウトすることで、選択できないようにしている。
【００７４】
また、「非純正トナーが装着されていますので、イメージ調整はできません」とのメッセージ３３１を表示することにより、ユーザに明るさ３２１、コントラスト３２２、彩度３２３、カラーバランス３２４などのトナー濃度に関する調整ができない理由を報知することで、非純正品に対するユーザの認識を向上させるようにしてもよい。なお、ステップＳ３６が本発明の入力制限ステップに相当する。
【００７５】
次に、図８、図９のイメージ調整画面３２０、３３０で「ＯＫ］ボタンが選択されると、
例えば、図示しない印刷条件入力画面の初期画面が表示され、この初期画面で印刷の指示がなされると、先述したように、プリンタドライバで設定した画像形成条件が印刷データとともに、通信部２０１を介して画像形成装置１００へ送られ、画像形成装置１００では、画像形成条件に従って印刷データを画像処理部１０９で処理し、処理した印刷データが画像形成部１０３で記録紙に印刷される。そして、非純正品が使用されている場合は、情報処理装置２００から画像形成装置１００へは、トナー濃度調整値として画像形成装置１００が有する所定のデフォルト値に設定した上で印刷を行う旨の画像形成条件が送られる。
【符号の説明】
【００７６】
１…露光ユニット、２…現像器、３…感光体ドラム、４…クリーナユニット、５…帯電器、６…中間転写ベルトユニット、７…定着ユニット、１０…転写ローラ、１１ａ，１１ｂ…ピックアップローラ、１２ａ，１２ｂ，１２ｃ，１２ｄ…搬送ローラ、１３…レジストローラ、６１…中間転写ベルト、６２…中間転写ベルト駆動ローラ、６３…中間転写ベルト従動ローラ、６４…中間転写ローラ、６５…中間転写ベルトクリーニングユニット、７１…ヒートローラ、７２…加圧ローラ、７３…外部加熱ベルト、８１…給紙カセット、８２…手差し給紙カセット、９０…画像読取手段、９１…排紙トレイ、９２…原稿載置台、９３…光源ユニット、９４…ミラーユニット、９５…ＣＣＤ、１００…画像形成装置、１０１…制御部、１０１ａ…非純正品判定部、１０２…操作パネル、１０２ａ…操作部、１０２ｂ，２０５…表示部、１０３…画像形成部、１０４，２０１…通信部、１０５，２０３…記憶部、１０６…読取部、１０７…センサ回路、１０８…トナーカートリッジ、１０８ａ…ＩＣチップ、１０９…画像処理部、１０９ａ…トナー濃度設定部、１２０…自動原稿処理装置、１３０…装置本体、２００…情報処理装置、２０２…演算処理部、２０３ａ…プリンタドライバ、２０４…入力部、３００，３１０…コピーモード時の初期画面、３２０，３３０…イメージ調整画面。
【図１】
2013101194.tif 000003
【図２】
2013101194.tif 000004
【図３】
2013101194.tif 000005
【図４】
2013101194.tif 000006
【図５】
2013101194.tif 000007
【図６】
2013101194.tif 000008
【図７】
2013101194.tif 000009
【図８】
2013101194.tif 000010
【図９】
2013101194.tif 000011